(57)【要約】【課題】  補助器具を用いることなく使用現場で簡便に組み立てることができ、組立て後、分解の恐れのない十分な強度を有し、各種保冷あるいは保温食品の移動に適した食品用簡易容器を提供する。【解決手段】  板厚が４ｍｍから１５ｍｍの発泡樹脂板からなる枠１の下端面に形成した押し込み突起構造と底板２の外周上縁に形成した溝構造を有する押付結合機構３を形成し、枠１を底板２に押し付けることによって枠１と底板２を一体化した食品用簡易容器である。【選択図】  図２
2006123929.tif 000002
【特許請求の範囲】
【請求項１】
板厚が４ｍｍから１５ｍｍの発泡樹脂板からなる枠と底板との部材からなる食品用簡易容器であって、
枠と底板の中の何れか一方の部材の他方の部材への押し付けによって結合される押付結合機構によって一体化されている食品用簡易容器。
【請求項２】
押付結合機構が、枠と底板の結合状態において、それぞれ枠と底板の相対する面に形成された突部とこの突部を受け入れて固定する溝とからなる請求項１に記載の食品用簡易容器。
【請求項３】
押付結合機構が、枠においては下方先端面に形成された突起であり、底板においては外周縁の上面に形成された突起受け入れ溝である請求項２に記載の食品用簡易容器。
【請求項４】
押付結合機構における枠の下方先端面に形成された突起と、底板の外周縁の上面に形成された突起受け入れ溝の断面形状が楔形をなす請求項３に記載の食品用簡易容器。
【請求項５】
押付結合機構が接着剤による接着が付加される請求項１から請求項４の何れかに記載の食品用簡易容器。
【請求項６】
食品が保冷または保温を要する食品である請求項１から請求項５の何れかに記載の食品用簡易容器。
【発明の詳細な説明】
【技術分野】
【０００１】
本発明は、各種の食品、とくに、アイスクリーム、水産物、精肉等の保冷を必要とする食品、または、温野菜のように保温を必要とする食品の移動に適した発泡樹脂断熱性材からなる簡易容器に関する。
【背景技術】
【０００２】
近年、発泡樹脂材からなる枠と薄いプラスチック材からなる底板とを組み立てた簡易容器は、材料費も安く、加工も簡単で、食品の収納容器としての実用上の強度も十分であり、さらには、見栄えも良いことから、寿司、その他の高級食品の持ち帰り用容器の主流をなすようになった。
【０００３】
この簡易容器自体は、その初期には、先ず、帯状の発泡樹脂材を枠状に組立て、さらに、その底縁を接着剤を用いたり、或いは、融着して底材に固定して作製していた。ところが、このようにして組み立てられた簡易容器は、嵩容量が大きく、流通効率が極めて悪いもので、これがコスト低減の障害となっていた。
【０００４】
このため、搬送時の積載量を増すために枠材を逆八形に形成して積み重ね量を増大したり、使用現場近傍に融着機器のような組立て器具を設置したりする流通費低減の方策が試みられた。しかしながら、何れの方策も容器としての機能を低減し、得られた容器の品質に悪影響を与えるものであった。
【０００５】
そこで、本願出願人は、格別の器具を用いることなく、使用現場で機械的に簡単に組立てることができる嵌合型の簡易容器を下記特許文献１、２において開示した。この嵌合型の簡易容器は、典型的には、底板を容器状に形成し、その上縁を外方に延ばし、この部分を上端面に掛合わせて係止するものである。
【０００６】
また、近年持ち帰り用の食品も、アイスクリーム製品のような保冷食品、肉、野菜などの温熱状態の高級食品の持ち帰りのニーズが高まって来た。ところが、上記の従来の簡易容器では、とくに、底面の断熱性が不十分で保冷または保温食品の持ち帰りには適したものではない。
【０００７】
そのため、容器底も断熱性の発泡樹脂材としたアイスクリーム製品のような保冷を要する食品の持ち帰り用容器が特許文献３に提案されている。この容器は、一体成形によって得た発泡樹脂製の底付き枠材の開口内に食品収納のための内容器を取り外し自在に収納したもので、嵩容量大きく、流通効率が極めて悪く、また、広いストックヤードが必要となるものであった。
【特許文献１】特開平１０−０７７０３２号公報
【特許文献２】特開平１１−１９３０１５号公報
【特許文献３】特開２００１−１３０５４１号公報
【発明の開示】
【発明が解決しようとする課題】
【０００８】
そのため、従来の薄い樹脂板を使用した簡易容器の場合と同様に、十分な強度を有し、さらには、流通効率と、使用現場における簡単な組立てが可能な枠と底板ともに発泡樹脂からなる簡易容器の開発が試みられた。
【０００９】
しかしながら、底板も発泡樹脂から作られている場合には、先の特許文献に記載のように、底板を加工して枠の上端から嵌合する形式の採用は、実質的に不可能である。
【００１０】
本発明において解決すべき課題は、補助器具を用いることなく使用現場で簡便に組み立てることができ、組立て後、分解の恐れのない十分な強度を有し、各種保冷あるいは保温食品の移動に適した食品用簡易容器を提供することにある。
【課題を解決するための手段】
【００１１】
本発明は、板厚が４ｍｍから１５ｍｍの発泡樹脂板からなる枠と底板との部材からなる食品用簡易容器であって、枠と底板の中の何れか一方の部材の他方の部材への押し付けによって結合される押付結合機構によって一体化されているものである。
【００１２】
この枠と底板の中の何れか一方の部材の他方の部材への押し付けによって一体化し結合される押付結合機構としては、任意の嵌合構造を適用でき、例えば、枠と底板の何れか一方に任意形状の押し付け突起を設け、他方にこの突起を受け入れる溝を形成し、押し付け突起を溝に押し付け挿入したとき、発泡樹脂素材そのものが有する弾力によって溝内に挿入された突起がきつく締め付けられるような構造のものとすることができる。
【００１３】
上記の押付結合機構として、突起と溝との組合せを利用した場合、突起と溝は、それぞれ枠の下端全周面と底板の外周縁に設けることができるし、また、断続した状態で設けることもできる。
【００１４】
枠と底板を固定し一体化するに当たっては、即乾性の他、各種の接着剤を補助的に使用することができる。
【００１５】
さらに、本発明において、発泡樹脂板は簡易容器素材の代表例を表したもので、発泡樹脂板に限らず、発泡樹脂程度の断熱性と加工性を有し、食品用の簡易容器としての強度を有する例えば、発泡パーティクル素材、または、厚紙材も均等物の範囲である。
【発明の効果】
【００１６】
本発明の食品用簡易容器は、それぞれに押付結合機構を形成した枠または底板の何れかを他方の底板または枠に、単に押し込むだけで、一体化したものであるので、使用現場で簡単に組み立てることができる。
【００１７】
また、本発明の枠として先の特許文献１に開示した折り畳み可能な枠材を展開して使用することによって、嵩張った枠を搬送する必要がなく、折り畳まれた状態の枠材として搬送でき、流通効率を上げることができ、使用現場で簡単に展開し、組立てに供することができる。
【００１８】
さらに、発泡樹脂製蓋を嵌着することによって、完全な断熱容器とすることができ、保冷または保温食品の移動に適したものとなる。
【発明を実施するための最良の形態】
【００１９】
以下、本発明の押付結合機構として、楔状突起を枠の下端面に、また、楔状の溝を底板の先端上面に形成した例について説明する。
【実施例１】
【００２０】
図１は本発明に係る簡易食品容器１０の構成部材としてそれぞれ４ｍｍ厚の発泡樹脂板からなる枠１と底板２とその組立て要領を示す。
【００２１】
同図に示す枠１は、特許文献１で開示した折り畳み枠材１５を組立て現場に搬送したのち展開したものである。折り畳み枠材１５の折り畳み部を形成する切り込み１１〜１４が、そのまま、展開後の枠１の４個の角部１１〜１４を形成する。
【００２２】
同図に示す３１は、枠１の底端部の内側全周縁に形成された楔状突起構造を示し、３２は底板２の全外周上面縁に形成された楔状溝構造を示す。
【００２３】
そして、同図の矢印に示すように、楔状突起構造３１と楔状溝構造３２を上下方向に向き合わせた状態で、枠１を底板２に押し込むと、それぞれの楔状突起構造３１と楔状溝構造３２は合体結合する。
【００２４】
図２は、このようにして、枠１と底板２を合体して組み立てた簡易容器１０を示すもので、図１に示す楔状突起構造３１と楔状溝構造３２との連結部３を介して強く一体化されている。そして、余分な部分のない優れた外観を示す。そして、容器内周全体が枠１と底板２が強固に密着した状態の極めて保冷または保温性に優れた高品質の食品の収納簡易容器が得られる。
【００２５】
図３は、図２に示す組み立てられた簡易容器１０の連結部３を形成する図１に示す楔状突起構造３１と楔状溝構造３２を縦断面によって示すもので、（ａ）は連結前の状態を示し、（ｂ）は連結後の状態を示す。
【００２６】
同図（ａ）において、枠１の下端面に形成された楔状突起構造３１は、枠１の下端に設けられた楔状突起３１１とその上面に形成された平坦面３１２からなる。また、底板２の楔状溝構造３２は、底板１の外周端面に、枠側の楔状突起構造３１の平坦面３１２に対応する平坦面３２２を形成し、その内周に枠側の楔状突起３１１に対応する楔状溝３２１が穿設されている。
【００２７】
そして、図１に示す枠１を底板２に軽く押し込む状態に対応する図３（ａ）の矢印に示すように、枠１の楔状突起３１１と底板側に穿設された楔状溝３２１のそれぞれの先端は相互に入り込んだ状態になる。すなわち、枠１を底板２に押し付ける際、枠１を構成する発泡樹脂が持つ弾力によって一旦外側に拡がって下降した後、枠側の楔状突起３１１が、底板側の楔状溝３２１内に侵入して挿着され、図３の（ｂ）に示す連結部３を形成する。この連結部３の垂直断面は枠１の楔状突起構造３１と底板の楔状溝３２によってＺ字状を形成し、一旦、挿着された後は、通常の使用状態の下では分離されない強固な結合状態を形成する。
【実施例２】
【００２８】
図４は、上記図２に示す本発明に係る簡易食品容器１０の連結部３の他の構成例を示すもので、実施例１の図３に対応するものである。
【００２９】
同図において、（ａ）は挿着前の枠１の楔状突起構造３１と底板２の楔状溝構造３２を示し、楔状突起構造３１の楔状突起３１１は枠１の先端面に形成されており、また、楔状溝構造３２の楔状溝３２１は、底板２の外周縁の内側上面に楔状突起３１１に対応して形成されている。
【００３０】
そして、（ａ）の矢印に示すように、枠１の楔状突起３１１を底板２の楔状溝３２１に押し込むことによって、（ｂ）に示す連結部３を形成する。そして、先の図２に示すように、連結部３を介してそれぞれ発泡樹脂からなる枠１と底板２が強く一体化された簡易容器を得ることができる。
【産業上の利用可能性】
【００３１】
本発明の簡易容器は、枠と底板とが発泡樹脂からなり、これに、適宜に発泡樹脂製の蓋材を用いることによって、シール性に優れた断熱容器とすることができる。
【００３２】
また、簡易容器の平面形状として長方形の容器の例について説明したが、収納する食品に応じて、他の４辺形の他、円形、楕円形その他の変形容器としても使用できる。
【図面の簡単な説明】
【００３３】
【図１】本発明に係る簡易容器の構成部材とその組立て要領を示す。
【図２】本発明に係る簡易容器の組立完成図である。
【図３】枠と底板との連結構造を示す。
【図４】枠と底板との連結構造の他の例を示す。
【符号の説明】
【００３４】
１  枠
２  底板
３  嵌合部
１０  簡易容器
１１〜１４  切り込み
１５  折り畳み枠材
３１  楔状突起構造
３１１  楔状突起
３２  楔状溝構造
３２１  楔状溝
【図１】
2006123929.tif 000003
【図２】
2006123929.tif 000004
【図３】
2006123929.tif 000005
【図４】
2006123929.tif 000006